(57)【要約】【課題】エアバッグを収縮した際に、エアバッグ中に空気が残留していても足載置台を鉛直方向にほぼ沿って位置させることができるマッサージ装置を提供すること。【解決手段】身体を支持する座部１１と、この座部１１の前縁部１１ａから下方に延在されたエアバッグステイ２０と、座部１１の前縁部１１ａに一端３０ａが回動可能に取り付けられた取付フレーム３０と、この取付フレーム３０の前側面３１に設けられた足載置台１４と、取付フレーム３０とエアバッグステイ２０との間に配設されて、膨張した際に取付フレーム３０を回動させて座部１１の前方に足載置台１４を突出させ、収縮した際に足載置台１４を鉛直方向にほぼ沿って垂下させるエアバッグＢａ、Ｂｂとを備えたマッサージ装置１０であって、取付フレーム３０とエアバッグステイ２０との間を、取付フレーム３０の回動支点Ｓから離れるにしたがって次第に広げた。【選択図】    図３
2004255043.tif 000002
【特許請求の範囲】
【請求項１】
身体を支持する座部と、該座部の前縁部から下方に延在されたエアバッグステイと、前記座部の前縁部に一端が回動可能に取り付けられた取付フレームと、該取付フレームの前側面に設けられた足載置台と、前記取付フレームと前記エアバッグステイとの間に配設されて、膨張した際に前記取付フレームを回動させて前記座部の前方に前記足載置台を突出させ、収縮した際に前記足載置台を鉛直方向にほぼ沿って垂下させるエアバッグとを備えたマッサージ装置であって、
前記取付フレームと前記エアバッグステイとの間を、前記取付フレームの回動支点から離れるにしたがって次第に広げたことを特徴とするマッサージ装置。
【請求項２】
請求項１に記載のマッサージ装置において、前記エアバッグが当接する前記取付フレームの後側面に、前記回動支点から離れるにしたがって次第に前方に傾斜する傾斜面を設けたことを特徴とするマッサージ装置。
【請求項３】
請求項２に記載のマッサージ装置において、前記エアバッグが当接する前記エアバッグステイの前側面に、前記回動支点から離れるにしたがって次第に後方に傾斜する傾斜面を設けたことを特徴とするマッサージ装置。
【発明の詳細な説明】
【０００１】
【発明の属する技術分野】
この発明は、座部に回動自在に取付けられた足載置台を備え、この足載置台をエアバッグの膨縮によって回動させるマッサージ装置に関するものである。
【０００２】
【従来の技術】
従来のマッサージ装置として、図７に示すようなものが知られている（例えば、特許文献１、特許文献２参照）
このマッサージ装置１は、使用者の身体を支持する座部２を備え、この座部２の前縁部２ａには、下方に延在された固定プレート３と、一端が回動自在に取付けられた取付フレーム４とが重なり合うように設けられ、取付フレーム４は回動した際に固定プレート３の前側に向かって回動するようになっている。
【０００３】
また、取付フレーム４の前側面４ｂには足載置台５が取付けられ、固定プレート３と取付フレーム４との間には、膨縮可能な複数のエアバッグ６が配設されている。
【０００４】
このようなマッサージ装置１では、エアバッグ６が膨張することによって取付フレーム４が時計回り方向（図７において矢印Ｘで示す）に回動し、足載置台５を上方に向けると共に、座部２の前方に突出させている。
【０００５】
また、エアバッグ６が収縮することによって取付フレーム４が反時計回り方向（図７において矢印Ｙで示す）に回動し、足載置台５を前方に向けると共に、固定プレート３に沿って垂下させている。
【０００６】
【特許文献１】
特開平９−１０２６９号公報（段落００１４、図２）
【特許文献２】
特開２００１―２５８９６８号公報
【０００７】
【発明が解決しようとする課題】
ところで、上述のマッサージ装置１では、固定プレート３は、鉛直方向にほぼ沿って起立するように延在されている。
【０００８】
一方、取付フレーム４のエアバッグ６が当接する後側面４ａは、エアバッグ６が収縮して自重で垂下しているときに、固定プレート３のエアバッグ６が当接する前側面３ａに沿うように形成されている。
【０００９】
つまり、取付フレーム４に対向した固定プレート３の前側面３ａと、固定プレート３に対向した取付フレーム４の後側面４ａとは、エアバッグ６が収縮した際、共に鉛直方向にほぼ沿うようになっている。
【００１０】
そのため、この固定プレート３と取付フレーム４との間に配設された複数のエアバッグ６中に空気が残っている場合、このエアバッグ６は固定プレート３及び取付フレーム４にそれぞれ当接し、エアバッグ６内の空気が全て排出するまでは、足載置台５を鉛直方向にほぼ沿って位置させることができないという問題が生じていた。
【００１１】
さらに、足載置台５を鉛直方向にほぼ沿って位置させるまでには、エアバッグ６内の空気がすべて排出されるまで待たなければならず、非常に時間がかかるという問題も生じていた。
【００１２】
この発明は、上記問題に鑑みてなされたもので、エアバッグが収縮した際に、このエアバッグ中に空気が残留していても足載置台を鉛直方向にほぼ沿って位置させることができるマッサージ装置を提供することを目的としている。
【００１３】
【課題を解決するための手段】
この発明のマッサージ装置は、身体を支持する座部と、この座部の前縁部に一端が固定されて下方に延在されたエアバッグステイと、座部の前縁部に一端が回動可能に取り付けられた取付フレームと、この取付フレームの前側面に設けられた足載置台と、取付フレームとエアバッグステイとの間に配設されて、膨張した際に取付フレームを回動させて座部の前方に足載置台を突出させ、収縮した際に足載置台を鉛直方向にほぼ沿って垂下させるエアバッグとを備え、取付フレームとエアバッグステイとの間を、取付フレームの回動支点から離れるにしたがって次第に広げたことを特徴としている。
【００１４】
この発明によれば、取付フレームとエアバッグステイとの間が、回動支点から離れるにしたがって次第に広がっているので、この間に配設されたエアバッグは、内部に空気が残留していても、取付フレームを回動させない状態で、取付フレームとエアバッグステイとの間の隙間に入り込むことができる。そして、このようにエアバッグ内に空気が残っていても、足載置台を鉛直方向にほぼ沿って位置させることができる。
【００１５】
さらに、足載置台を鉛直方向にほぼ沿った状態に位置させるまでの時間を短縮することが可能となる。
【００１６】
【発明の実施の形態】
以下、図面に基づいてこの発明の実施の形態を説明する。
【００１７】
図１において、１０はマッサージ装置であり、ここではいわゆる椅子式マッサージ装置である。
【００１８】
このマッサージ装置１０は身体を支持する座部１１と、座部１１の両側部に設けられてこの座部１１を支持している一対の支持脚部１２、１２と、座部１１の後縁部に前後に起倒調節可能に設けられた背凭れ部１３と、座部１１の前縁部１１ａに回動自在に設けられた足載置台１４とを有する椅子本体１０ａと、座部１１の下側に設けられた給排気装置１００とを備えている。
【００１９】
なお、給排気装置１００にはコードＫを介して操作部（リモコン）１５が接続されており、この操作部１５には給排気装置１００を駆動させて各種マッサージを行わせる操作スイッチ（図示せず）が設けられている。また、足載置台１４には足を入れる一対の凹部１４ａ、１４ｂが左右に並んで形成されている。
【００２０】
そして、椅子本体１０ａの人体当接面である座部１１の上面には、腿部及び臀部をマッサージするエアバッグＢ１、Ｂ２が取り付けられ、足載置台１４の凹部１４ａ、１４ｂの側面には、ふくらはぎ部をマッサージするエアバッグＢ３、Ｂ４がそれぞれ取り付けられ、背凭れ部１３の上面には、腰部をマッサージする一対のエアバッグＢ５、Ｂ６と、肩部をマッサージする一対のエアバッグＢ７、Ｂ８と、これらのエアバッグＢ５〜Ｂ８の中間に位置して長手方向に延びる背部をマッサージするエアバッグＢ９とが取り付けられている。
【００２１】
ここで、「人体当接面」とは、座部１１に座った使用者が当接する面、即ち使用者の被施療部が当接する面を指す。
【００２２】
これらのエアバッグＢ１〜Ｂ９は図示しないカバーによって覆われている。そして、各エアバッグＢ１〜Ｂ９は例えばゴムホース等のエアホース１７ａ〜１７ｉによってそれぞれ給排気装置１００に連結されている（図２参照）。
【００２３】
そして、各エアバッグＢ１〜Ｂ９は、給排気装置１００から供給される空気によって膨張したり、内部に流入した空気を排出して収縮したりしてマッサージを行なっている。
【００２４】
ここで、給排気装置１００は、図２に示すように、制御部１０１と、エアポンプ（空気供給装置）１０２と、ロータリーバルブ１０３等とを備えている。
【００２５】
制御部１０１は、マイクロコンピュータ等を備えており、もみ、叩き等の各種マッサージモードのプログラムがあらかじめ登録されている。そして、この制御部１０１は、エアポンプ１０２、ロータリーバルブ１０３、操作部１５とそれぞれ電気的に接続されている。そして、この制御部１０１は、使用者が操作部１５の操作スイッチを操作することで入力された電気信号によって、エアポンプ１０２及びロータリーバルブ１０３の作動状態、及び、これらの停止、電源のＯＮ、ＯＦＦ等を制御する。この制御部１０１の制御によって指定されたマッサージモードが実行される。
【００２６】
エアポンプ１０２は、出力口がロータリーバルブ１０３に接続されている。このエアポンプ１０２は図示しないエアーコンプレッサ等を有しており、圧縮空気を生成するものである。
【００２７】
ロータリーバルブ１０３は、各エアバッグＢ１〜Ｂ９と個別に接続されており、制御部１０１の制御によってエアポンプ１０２とエアバッグＢ１〜Ｂ９のうちの一つとを選択的に連通させる。
【００２８】
また、図３に示すように、座部１１の前縁部１１ａには、下方に延在されたエアバッグステイ２０と、一端３０ａが回動可能に取り付けられた取付フレーム３０とが設けられている。なお、図３では座部１１はエアバッグＢ１等を支持する骨組みのみを示している。
【００２９】
エアバッグステイ２０は、一対の支持脚部１２、１２間に設けられ、床面に対して起立した状態で固定されている。一方、取付フレーム３０は一端３０ａのみが座部１１に取り付けられており、他端３０ｂは自由端となっている。そのため、後述するエアバッグＢａ、Ｂｂが収縮しているときは、自重で垂下することとなる。
【００３０】
また、エアバッグステイ２０は、マッサージ装置１０の前方に臨んだ前側面２１が、取付フレーム３０の回動支点Ｓから離れるにしたがって、次第に後方に傾斜している。つまり、この前側面２１は、下部２１ｂが上部２１ａよりも後方に突出するように傾いた傾斜面となっている。
【００３１】
また、取付フレーム３０は、エアバッグステイ２０に対向するように一対の支持脚部１２、１２間に設けられている。そして、エアバッグステイ２０よりも前方に配設され、マッサージ装置１０の前方に臨んだ前側面３１には足載置台１４が設けられている。この前側面３１は、取付フレーム３０が自重で垂下している状態において、鉛直方向にほぼ沿うように形成されている。
【００３２】
そして、この取付フレーム３０のエアバッグステイ２０に対向した後側面３２は、回動支点Ｓから離れるにしたがって、次第に前方に傾斜している。つまり、この後側面３２は、上部３２ａが下部３２ｂよりも後方に突出するように傾いた傾斜面となっている。
【００３３】
これにより、エアバッグステイ２０の上部２０ａと取付フレーム３０の上部３０ａとの間Ｌ１は互いに近接し、エアバッグステイ２０の下部２０ｂと取付フレーム３０の下部３０ｂとの間Ｌ２は互いに離間することとなる。つまり、エアバッグステイ２０と取付フレーム３０との間は、取付フレーム３０の回動支点Ｓから離れるにしたがって次第に広がっている（Ｌ１＞Ｌ２）。
【００３４】
さらに、このエアバッグステイ２０と取付フレーム３０との間には一対のエアバッグＢａ、Ｂｂが配設されている。
【００３５】
これらのエアバッグＢａ、Ｂｂは、それぞれ上端部が座部１１の前縁部１１ａに固定されており、ここではエアバッグＢａ、Ｂｂが重ねられてネジによって取り付けられている。
【００３６】
さらに、これらのエアバッグＢａ、Ｂｂは、図示しないエアホースを介してエアポンプ１０２に連通されている（図２参照）。なお、ロータリーバルブ１０３や電磁弁等を介して連通されていてもよい。
【００３７】
次に、このマッサージ装置１０の作用について説明する。
【００３８】
このマッサージ装置１０を使用するには、まず、使用者は座部１１に腰掛けると共に、足載置台１４の凹部１４ａ、１４ｂにそれぞれ足を入れる。このとき、足載置台１４は、鉛直方向にほぼ沿って垂下している（図３参照）。そして、操作部１５を操作して所定のエアバッグＢ１〜Ｂ９を膨縮させ、所望の部位のマッサージを行っていく。
【００３９】
一方、エアポンプ１０２から供給される空気によってエアバッグＢａ、Ｂｂを膨張させていくと、これらのエアバッグＢａ、Ｂｂは、互いに当接すると共にエアバッグステイ２０及び取付フレーム３０にそれぞれ当接する。ここでエアバグステイ２０が固定されているので、取付フレーム３０が、図３において時計回り方向（矢印Ｘ）に回動させられていく。
【００４０】
そして、図４に示すようにエアバッグＢａ、Ｂｂの膨張に伴って、次第に取付フレーム３０が回動し、足載置台１４を座部１１の前方に突出させることができる。なお、この図４に示すようにエアバッグＢａ、Ｂｂが完全に膨張していない状態で保持することもできる。
【００４１】
さらにエアバッグＢａ、Ｂｂに空気を供給すると、これらのエアバッグＢａ、Ｂｂは完全に膨張し、図５に示すように、取付フレーム３０の回動角度が最大になる。
【００４２】
これにより、足載置台１４は、凹部１４ａ、１４ｂを上方に向けると共に、座部１１の上面とほぼ水平に近い状態になる。そして、このマッサージ装置１０の使用者は足を伸ばした状態でマッサージをすることが可能となる。
【００４３】
また、図５に示すような取付フレーム３０の回動角度が最大の状態からエアバッグＢａ、Ｂｂ内の空気を排出して収縮させると、取付フレーム３０は図５において反時計回り方向（矢印Ｙ）に回動されていく。
【００４４】
そして、エアバッグＢａ、Ｂｂが膨張する場合と反対に、これらのエアバッグＢａ、Ｂｂの収縮に伴って次第に取付フレーム３０が回動させられ、足載置台１４は鉛直方向にほぼ沿って垂下するようになる。
【００４５】
ここで、エアバッグステイ２０と取付フレーム３０との間は、取付フレーム３０の回動支点Ｓから離れるにしたがって、次第に広がるように形成されている。そのため、図６に示すように、エアバッグＢａ、Ｂｂ内に空気が残留している状態であっても、取付フレーム３０は自重で垂下している場合と同様に、鉛直方向にほぼ沿って垂下することができる。
【００４６】
これにより、取付フレーム３０とエアバッグステイ２０との間に配設されたエアバッグＢａ、Ｂｂ中に空気が入っていても、このエアバッグＢａ、Ｂｂは取付フレーム３０を回動させない状態で、取付フレーム３０とエアバッグステイ２０との間の隙間に入り込むことができる。そして、エアバッグＢａ、Ｂｂ内に空気が残っていても、足載置台１４を鉛直方向にほぼ沿って位置させることができる。
【００４７】
また、ここでは取付フレーム３０のエアバッグステイ２０に対向した後側面３２は、上部３２ａが下部３２ｂよりも後方に突出するように傾いた傾斜面となっている。そのため、エアバッグＢａとの当接ポイントＰは、取付フレーム３０の回動角度が大きくなっても回動支点に近づきにくくすることができる。なお、「当接ポイント」とは、エアバッグＢａと取付フレーム３０との当接部分のうち、最も回動支点Ｓから離れた点を指す。
【００４８】
そして、この当接ポイントＰが回動支点Ｓから比較的離れた位置にあるので、取付フレーム３０の回動角度が大きくなっても、エアバッグＢａ、Ｂｂ内の空気による押圧力の増加を抑制することができる。
【００４９】
さらに、ここではエアバッグステイ２０のマッサージ装置１０の前方に臨んだ前側面２１は、下部２１ｂが上部２１ａよりも後方に突出するように傾いた傾斜面となっている。そのため、取付フレーム３０の一端３０ａ近傍を、マッサージ装置１０の前方に大きく突出させなくとも、エアバッグステイ２０の下部２０ｂと取付フレーム３０の下部３０ｂとの間Ｌ２を大きくすることができる。
【００５０】
そして、エアバッグＢａ、Ｂｂの残留空気量が多くとも、取付フレーム３０を自重で垂下している場合と同様に、鉛直方向にほぼ沿って垂下させることができる。また、これにより、足載置台１４を短時間で鉛直方向にほぼ沿って位置させることができる。
【００５１】
なお、上述の実施の形態では、エアバッグステイ２０の前側面２１及び取付フレーム３０の後側面３２のそれぞれが傾斜面になっているが、どちらか一方が傾斜面となっていてもよい。
【００５２】
【発明の効果】
エアバッグを収縮した際に、エアバッグ中に空気が残留していても足載置台を鉛直方向に沿って位置させることができるマッサージ装置を提供することができる。
【図面の簡単な説明】
【図１】この発明に係るマッサージ装置の全体を示す斜視図である。
【図２】図１のマッサージ装置の給排気系統を示すブロック図である。
【図３】図１のマッサージ装置の要部を拡大した側面図である。
【図４】足載置台が回動途中にある状態を示す側面図である。
【図５】足載置台の回動角度が最大になった状態を示す側面図である。
【図６】足載置台の回動角度が最小になると共に、エアバッグに残留空気がある状態を示す側面図である。
【図７】従来のマッサージ装置の要部拡大図である。
【符号の説明】
１０    マッサージ装置
１１    座部
１１ａ  前縁部
１４    足載置台
２０    エアバッグステイ
３０    取付フレーム
３１    前側面
Ｂａ、Ｂｂ  エアバッグ
Ｓ      回動支点
【図１】
2004255043.tif 000003
【図２】
2004255043.tif 000004
【図３】
2004255043.tif 000005
【図４】
2004255043.tif 000006
【図５】
2004255043.tif 000007
【図６】
2004255043.tif 000008
【図７】
2004255043.tif 000009